(57)【要約】【課題】簡易な構造で安価に作製でき、良好な装着感を得ることができ、呼気や唾液の飛散を防止できる透明なマスクを提供すること。【解決手段】湾曲可能な透明薄板からなるマスク本体１０に顎当て部２０と耳掛け部材取付け部３０とを備え、顎当て部２０を構成する凸部２１ａ、２１ｂが、マスク本体１０の下顎対面部分に縦長の突状に１つ又は複数成形されている。【選択図】図１
0003189347.tif 000002
【実用新案登録請求の範囲】
【請求項１】
湾曲可能な透明薄板からなるマスク本体に顎当て部と耳掛け部材取付け部とを備え、
前記顎当て部が、前記マスク本体の下顎対面部分に縦長の突状に１つ又は複数成形されていることを特徴とするマスク。
【請求項２】
湾曲可能な透明薄板からなるマスク本体に顎当て部と耳掛け部材取付け部とを備え、
前記顎当て部が、前記マスク本体の下顎対面部分に細柱状に１つ又は複数成形されていることを特徴とするマスク。
【請求項３】
前記マスク本体の下顎対面部分が下方に向けて湾曲に成形されていることを特徴とする請求項１又は請求項２記載のマスク。
【請求項４】
前記顎当て部が、圧空成形又は真空成形により成形されていることを特徴とする請求項１〜３のいずれかの項に記載のマスク。
【請求項５】
湾曲可能な透明薄板からなるマスク本体に顎当て部と耳掛け部材取付け部とを備え、
前記顎当て部が、前記マスク本体に着脱可能な顎当て部品で構成されていることを特徴とするマスク。
【請求項６】
前記マスク本体の下顎対面部分に前記顎当て部品の取付部が形成され、
前記顎当て部品が、
前記取付部に嵌め込み可能な嵌着部と、
該嵌着部から延設されて形成された顎前面当接部と、
前記嵌着部と前記顎前面当接部との間から下方に延設された顎受け部とを備えていることを特徴とする請求項５記載のマスク。
【請求項７】
前記顎当て部品が、
前記マスク本体の下辺部を挟んだ状態で支持する挟持部と、
該挟持部と一体成形された顎受け部とを備えていることを特徴とする請求項５記載のマスク。
【請求項８】
前記マスク本体が口元を覆う形に立体成形されていることを特徴とする請求項１〜７のいずれかの項に記載のマスク。
【請求項９】
前記耳掛け部材取付け部が、
前記マスク本体の両側に形成された紐部材取付孔と、
前記マスク本体の端部から前記紐部材取付孔まで通じる切れ込みとで構成されていることを特徴とする請求項１〜８のいずれかの項に記載のマスク。
【考案の詳細な説明】
【技術分野】
【０００１】
本考案はマスクに関し、より詳細には、着用者の口元の表情が見え、かつ会話やくしゃみ、咳などによる唾液や呼気の飛散を防止することのできるマスクに関する。
【背景技術】
【０００２】
従来からある一般的なマスクは、ガーゼや不織布等からなるマスク本体と、該マスク本体の両側に取り付けられたゴム紐とで構成され、前記マスク本体で着用者の口及び鼻部分を直接覆うようにして使用されるものである。
このような一般的なマスクは、着用者の口及び鼻部分を直接覆うため、呼吸がしにくい、話す際に声がこもりやすい、着用者の表情が見えないといった課題を有しており、特に、お客との会話が必要となる飲食関係や医療美容関係などの業種での使用にはあまり向いていなかった。
【０００３】
そこで近年、かかる課題を解決するためのマスクが提案されている（下記の特許文献１、２を参照）。図１７は、下記の特許文献１に記載されたマスクの斜視図である。
マスク５０は、略Ｕ字形状をしたフレーム５１、フレーム５１の上縁に嵌着された遮蔽シート５２、及びフレーム５１の両端に掛合された２本のつる部５３で構成されている。フレーム５１の中央部分には、顔に向けて突出させた当て部５４が形成され、当て部５４の下縁より下向きにアゴ当てシート５５が延設されている。
【０００４】
マスク５０を着用する際には、着用者は、当て部５４を口下の下顎部分に当て、アゴ当てシート５５を下顎先端部分に当て、つる部５３の耳掛部５３ａを耳に掛ける。このようにしてマスク５０を着用することにより、着用者の口及び鼻の前が遮蔽シート５２で覆われ、着用者の飛沫が遮断されるとともに、着用者の表情も見えやすいものになっている。
しかしながら、上記したマスク５０は、構成する部品数が多いためコストが高くつくという課題があった。
【０００５】
そこでより簡単な構造のマスクとして、下記の特許文献２に記載されたマスクが提案されている。図１８は、下記の特許文献２に記載されたマスクの斜視図である。
マスク６０は、横長の樹脂シートがナス形に湾曲成型された樹脂シート本体６１と、この樹脂シート本体６１の両端内側に設けられた滑り止め部材６２とから構成されている。
【０００６】
マスク６０を着用する際には、樹脂シート本体６１の両側を広げ、両端の滑り止め部材６２を着用者の両頬に密着させた状態にして装着する。樹脂シート本体６１の復元力によって両頬が挟み込まれた状態で装着される。
マスク６０は簡単な構造であるが、樹脂シート本体６１の滑り止め部材６２で両頬が挟み込まれるため、着用者は会話がしづらく、また、会話により口を動かすことによって樹脂シート本体６１の位置ずれが生じ易く、装着安定性に欠けるという課題があった。
【先行技術文献】
【特許文献】
【０００７】
【特許文献１】実用新案登録第３１５９６６８号公報
【特許文献２】実用新案登録第３１６９９５１号公報
【考案の概要】
【課題を解決するための手段及びその効果】
【０００８】
本考案は上記課題に鑑みなされたものであって、簡易な構造で安価に作製でき、装着感も良好であって、呼気や唾液の飛散を防止することができる透明なマスクを提供することを目的としている。
【０００９】
上記目的を達成するために本考案に係るマスク（１）は、湾曲可能な透明薄板からなるマスク本体に顎当て部と耳掛け部材取付け部とを備え、前記顎当て部が、前記マスク本体の下顎対面部分に縦長の突状に１つ又は複数成形されていることを特徴としている。
【００１０】
上記マスク（１）によれば、前記マスク本体に前記顎当て部と前記耳掛け部材取付け部とを備えた構成であるため、簡易な構造で安価に作製できる。また、前記顎当て部を着用者の下顎部分に当て、前記マスク本体を湾曲させた状態で、前記着用者の口元を覆うように簡単に着用することができる。また、前記顎当て部が、前記マスク本体の下顎対面部分に縦長（横よりも縦に長い形状）の突状に１つ又は複数成形されているので、前記マスク本体の下方にも息が抜けやすく、前記マスク本体の曇りを防止することができ、前記顎当て部を着用時に下顎の前面部分（口の下の部分）に当接させることで、口元に一定の空間を確保することができ、着用時の安定感を高めることができる。また、前記顎当て部を複数箇所、例えば所定間隔（１〜３ｃｍ程度）を設けて２箇所（２列並行、ハの字形状、逆ハの字形状、カッコ（円弧）形状など）に成形した場合、着用時において横方向の位置ずれを防止する効果を高めることができ、安定感や装着感を一層良好なものとすることができる。また、前記マスク本体が透明薄板からなるので、非着用時に嵩張ることなく、コンパクトで携帯性にも優れている。
【００１１】
また本考案に係るマスク（２）は、湾曲可能な透明薄板からなるマスク本体に顎当て部と耳掛け部材取付け部とを備え、前記顎当て部が、前記マスク本体の下顎対面部分に細柱状に１つ又は複数成形されていることを特徴としている。
【００１２】
上記マスク（２）によれば、前記マスク本体に前記顎当て部と前記耳掛け部材取付け部とを備えた構成であるため、簡易な構造で安価に作製できる。また、前記顎当て部を着用者の下顎部分に当て、前記マスク本体を湾曲させた状態で、前記着用者の口元を覆うように簡単に着用することができる。また、前記顎当て部が、前記マスク本体の下顎対面部分に細柱状、例えば、角柱形状（１辺０．５ｃｍ〜１．５ｃｍ程度）や円柱形状（直径０．５ｃｍ〜１．５ｃｍ程度）に突状に成形されているので、前記マスク本体の下方にも息が抜けやすく、前記マスク本体の曇りを防止でき、前記顎当て部を着用時に下顎の前面部分（口の下の部分）に当接させることで、口元に一定の空間を確保することができ、着用時の安定感を高めることができる。また、前記顎当て部を、所定間隔（２〜３ｃｍ程度）を設けて複数（例えば、２つ〜４つ程度）成形した場合、着用時において横方向の位置ずれを防止する効果を高めることができ、安定感や装着感を一層良好なものとすることができる。また、前記マスク本体が透明薄板からなるので、非着用時に嵩張ることなく、コンパクトで携帯性にも優れている。また、前記顎当て部を小さく成形することが可能であり、前記顎当て部が着用時に目立つことがなく、着用時の外観に優れたマスクとすることができる。
【００１３】
また本考案に係るマスク（３）は、上記マスク（１）又は（２）において、前記マスク本体の下顎対面部分が下方に向けて湾曲に成形されていることを特徴としている。
上記マスク（３）によれば、前記マスク本体の下顎対面部分が下方に向けて湾曲に成形されているので、前記顎当て部の下顎への装着感（フィット感）をさらに高めることができる。
【００１４】
また本考案に係るマスク（４）は、上記マスク（１）〜（３）のいずれかにおいて、前記顎当て部が、圧空成形又は真空成形により成形されていることを特徴としている。
上記マスク（４）によれば、前記顎当て部が、圧空成形又は真空成形により成形されているので、前記マスク本体と一体的に精度の高い成形が可能となり、また、製造コストを抑えることができ、安価なマスクを提供することができる。
【００１５】
また本考案に係るマスク（５）は、湾曲可能な透明薄板からなるマスク本体に顎当て部と耳掛け部材取付け部とを備え、前記顎当て部が、前記マスク本体の下顎対面部分に着脱可能な顎当て部品で構成されていることを特徴としている。
【００１６】
上記マスク（５）によれば、前記マスク本体に前記顎当て部品を着脱できるように構成されているので、前記マスク本体を交換するだけで前記顎当て部品を繰り返し使用することができる。また、前記マスク本体に前記顎当て部を成形しなくてよいため、前記マスク本体の加工を少なくすることができ、安価に作製することができる。また、前記顎当て部品によって、着用時に口や鼻が前記マスク本体に当らないように口元に一定の空間を確保することができ、また、前記マスク本体を安定した状態で支持することができる。また、前記顎当て部品が、前記マスク本体に着脱可能であるので、非着用時に嵩張ることなく、コンパクトで携帯性にも優れている。
【００１７】
また本考案に係るマスク（６）は、上記マスク（５）において、前記マスク本体の下顎対面部分に前記顎当て部品の取付部が形成され、前記顎当て部品が、前記取付部に嵌め込み可能な嵌着部と、該嵌着部から延設されて形成された顎前面当接部と、前記嵌着部と前記顎前面当接部との間から下方に延設された顎受け部とを備えていることを特徴としている。
【００１８】
上記マスク（６）によれば、前記顎当て部品を前記マスク本体の前記取付部、例えば、前記マスク本体に成形された取付孔や凹凸部に嵌め込むだけで、前記顎当て部品を前記マスク本体に簡単に装着でき、前記顎当て部品の前記顎前面当接部を下顎前面部分に当接させることで、着用時に前記マスク本体に口や鼻が当らないように空間を確保することができるとともに前記マスク本体を口の前面部分に支持することができる。また、前記顎受け部を着用者の下顎先端部にあてがうことができ、前記マスク本体の着用時の安定性を高めることができる。
【００１９】
また本考案に係るマスク（７）は、上記マスク（５）において、前記顎当て部品が、前記マスク本体の下辺部を挟んだ状態で支持する挟持部と、該挟持部と一体成形された顎受け部とを備えていることを特徴としている。
【００２０】
上記マスク（７）によれば、前記顎当て部品の前記挟持部に、前記マスク本体の下辺部を差し込み挟持させるだけで、前記顎当て部品を前記マスク本体に簡単に装着でき、また、前記顎当て部品の前記顎受け部を下顎部分に当接させることにより、着用時に前記マスク本体に口や鼻が当らないように空間を確保することができるとともに前記マスク本体を口の前面部分に支持することができる。
【００２１】
また本考案に係るマスク（８）は、上記マスク（１）〜（７）のいずれかにおいて、前記マスク本体が口元を覆う形に立体成形されていることを特徴としている。
上記マスク（８）によれば、前記マスク本体が口元を覆う形に立体成形、例えば、略Ｕ字状に湾曲に成形されているものとすることで、着用を容易に行うことができ、また、着用時の安定感及び装着感をより良好なものとすることができる。
【００２２】
また本考案に係るマスク（９）は、上記マスク（１）〜（８）のいずれかにおいて前記耳掛け部材取付け部が、前記マスク本体の両側に形成された紐部材取付孔と、前記マスク本体の端部から前記紐部材取付孔まで通じる切れ込みとで構成されていることを特徴としている。
上記マスク（９）によれば、例えば、ゴム紐などの前記紐部材を前記切れ込みから差し込むことにより、前記紐部材を前記取付孔にワンタッチで簡単に取付けることができる。
【図面の簡単な説明】
【００２３】
【図１】実施の形態（１）に係るマスクを示した図であり、（ａ）は着用者側から見た平面図、（ｂ）は、（ａ）におけるｂ−ｂ線端面図である。
【図２】（ａ）は、実施の形態（１）に係るマスクを着用者の額側から見た上面図であり、（ｂ）は、マスクを湾曲させた状態を示した上面図である。
【図３】実施の形態（１）に係るマスクの着用状態を示した側面図である。
【図４】別の実施の形態に係るマスクを示した図であり、（ａ）は着用者側から見た平面図、（ｂ）は、（ａ）におけるｂ−ｂ線端面図である。
【図５】実施の形態（２）に係るマスクを示した図であり、（ａ）は着用者側から見た平面図、（ｂ）は、（ａ）におけるｂ−ｂ線端面図である。
【図６】実施の形態（２）に係るマスクの着用状態を示した側面図である。
【図７】別の実施の形態に係るマスクを示した図であり、（ａ）は着用者側から見た平面図、（ｂ）は、（ａ）におけるｂ−ｂ線端面図である。
【図８】実施の形態（３）に係るマスクを示した図であり、（ａ）は着用者側から見た平面図、（ｂ）は、（ａ）におけるｂ−ｂ線断面図である。
【図９】実施の形態（３）に係るマスクの着用状態を示した側面図である。
【図１０】実施の形態（４）に係るマスクを示した図であり、（ａ）は着用者側から見た平面図、（ｂ）は、（ａ）におけるｂ−ｂ線断面図である。
【図１１】実施の形態（４）に係るマスクの着用状態を示した側面図である。
【図１２】実施の形態（５）に係るマスクを示した図であり、（ａ）は着用者側から見た平面図、（ｂ）は、（ａ）におけるｂ−ｂ線断面図である。
【図１３】図１２におけるXIII−XIII線断面図である。
【図１４】実施の形態（５）に係るマスクの着用状態を示した側面図である。
【図１５】実施の形態（６）に係るマスクを示した図であり、（ａ）は着用者側から見た平面図、（ｂ）は、（ａ）におけるｂ−ｂ線断面図である。
【図１６】実施の形態（６）に係るマスクの着用状態を示した側面図である。
【図１７】従来（特許文献１記載）のマスクを示した斜視図である。
【図１８】従来（特許文献２記載）のマスクを示した斜視図である。
【考案を実施するための形態】
【００２４】
以下、本考案に係るマスクの実施の形態を図面に基づいて説明する。図１は、実施の形態（１）に係るマスクを示した図であり、（ａ）は着用者側から見た平面図、（ｂ）は、（ａ）におけるｂ−ｂ線端面図である。図２（ａ）は、実施の形態（１）に係るマスクを着用者の額側から見た上面図であり、（ｂ）は、マスクを湾曲させた状態を示した上面図である。図３は、実施の形態（１）に係るマスクの着用状態を示した側面図である。
【００２５】
マスク１は、人の顔に着用して使用されるものであり、湾曲可能な透明薄板からなるマスク本体１０に顎当て部２０と耳掛け部材取付け部３０とを備えて構成されている。
マスク本体１０は、全体がやや横長形状であって、湾曲可能な透明薄板、例えば、ＰＥＴ（ポリエチレンテレフタレート）等からなる透明なプラスチック薄板（例えば、厚さ０．０５ｍｍ〜０．５ｍｍ程度）で構成されている。マスク本体１０の中央上部１０ａは、着用者の鼻の前面部分をカバーできるように、なだらかな山型の曲線形状に成形され、中央下部１０ｂは、着用者の下顎部分をカバーできるように、下に凸のなだらかな曲線形状に成形されている。なお、マスク本体１０の形状は、この山型形状に限定されるものではなく、例えば、横長の矩形形状などであってもよく、着用者の口の前面部分を覆うことが可能な形状のものが採用され得る。
【００２６】
顎当て部２０は、着用者の下顎正面に当接させる部分であり、マスク本体１０の下顎対面部分に平面視縦長形状に所定間隔（１ｃｍ〜３ｃｍ程度）を設けて、圧空成形又は真空成形により成形された凸部２１ａ、２１ｂで構成されている。
【００２７】
凸部２１ａ、２１ｂは、図１（ｂ）に示すように、上部から下部に向けて高さが低くなるように勾配（傾斜）が設けられている。凸部２１ａ、２１ｂ上部の高さは１ｃｍ〜３ｃｍ程度に設定可能であり、口元の十分な空間確保と良好な装着感が得られるという観点から１．５ｃｍ〜２．５ｃｍ程度に設定することがより好ましい。また、凸部２１ａ、２１ｂ下部の高さは、２ｍｍから１ｃｍ程度に設定可能である。また、凸部２１ａ、２１ｂの横幅は、３ｍｍ〜１８ｍｍ程度に設定可能であり、下顎へのフィット感及び装着安定感の向上という観点から５ｍｍ〜１２ｍｍ程度に設定することがより好ましい。
【００２８】
なお、凸部２１ａ、２１ｂの下顎当接面は、図１（ｂ）に示したように、下顎面に沿ったアール（湾曲凹）形状となるように成形されているが、直線的な傾斜等であってもよい。顎当て部２０を構成する凸部の成形個数は、２箇所に限定されるものではなく、１箇所又は３箇所以上に成形されたものとすることもできる。
【００２９】
耳掛け部材取付け部３０は、マスク本体１０の両側の凸片部１０ｃに形成された紐部材取付孔３１と、凸片部１０ｃの端部から紐部材取付孔３１まで通じる切れ込み３２とで構成されている。紐部材（ゴム紐４０）（図３参照）を切れ込み３２から差し込むことにより、紐部材を取付孔３１にワンタッチで簡単に取付けることが可能となっている。
【００３０】
実施の形態（１）に係るマスク１の装着方法は、まず、顎当て部２０を構成する凸部２１ａ、２１ｂを口下の下顎正面に当接させ、その状態で、マスク本体１０の両側部分を頬に向けて湾曲させながら、マスク本体１０両側の紐部材取付孔３１に取り付けられたゴム紐４０（図３参照）を耳に掛ける。なお、ゴム紐４０は、左右の耳に掛ける形式（輪状）のものの他、左右の紐部材取付孔３１に一本のゴム紐（輪ゴム）を架け渡した形式にして、着用者の後頭部に掛けて固定することもできる。
【００３１】
上記実施の形態（１）に係るマスク１によれば、マスク本体１０に顎当て部２０と耳掛け部材取付け部３０とを備えた構成であるため、簡易な構造で安価に作製できる。また、マスク本体１０が透明薄板からなるので、非着用時に嵩張ることなく、コンパクトで携帯性にも優れたものとすることができ、使勝手に優れている。
【００３２】
また、顎当て部２０が、マスク本体１０の下顎対面部分に平面視縦長形状に突状に成形された凸部２１ａ、２１ｂで構成されているので、凸部２１ａ、２１ｂを着用時に下顎の前面部分（口の下の部分）に当接させることで、口元に一定の空間を確保することができるとともに、着用時の安定感を高めることができ、また、縦長形状なので着用者の息が下方にも抜けやすく、マスク本体１０の曇りを防止する効果を高めることができる。また、凸部２１ａ、２１ｂが所定間隔（１〜３ｃｍ程度）を設けて２箇所に成形されているので、着用時において横方向の位置ずれを防止する効果を高めることができ、安定感や装着感を一層良好なものとすることができる。
【００３３】
なお、上記実施の形態（１）に係るマスク１では、マスク本体１０は、湾曲可能な薄い平板状であったが、別の実施の形態では、マスク本体１０を口の前面を覆う湾曲状（略Ｕ字状等）に予め立体成形されたものとすることができる。また、マスク本体１０を湾曲状に立体成形する形態の他、略Ｕ字形状をした細枠部材の内面に、マスク本体１０の外面を湾曲させた状態で貼り付け等により固着（着脱可能としてもよい）して、湾曲状に立体成形する形態も採用できる。
【００３４】
また、上記実施の形態（１）に係るマスク１では、顎当て部２０の凸部２１ａ、２１ｂが、平面視縦長の短冊形状であって略平行に形成されたものであったが、この凸部の形状は、この形態に限定されるものではなく、凸部が平面視略ハの字形状、平面視逆ハの字形状、または平面視カッコ（円弧）形状に成形されたものでもよく、マスク本体１０に対して横方向よりも縦方向に長い種々の形状のものが採用され得る。
【００３５】
また、上記実施の形態（１）に係るマスク１では、マスク本体１０全体が平らな薄板であったが、図４に示す別の実施の形態に係るマスク１Ａでは、マスク本体１０Ａの中央下部１０ｄの顎当て部２０Ａの形成面を、側面視円弧状（すなわち、下顎に沿うような凹部形状）に湾曲成形されたものとすることができる。
【００３６】
かかる形態によれば、マスク本体１０Ａの下顎対面部分１０ｄが下方に向けて湾曲に成形されているので、顎当て部２０Ａを構成する凸部２１ｃ、２１ｄの下顎への装着感（フィット感）をさらに高めることができる。
【００３７】
図５は、実施の形態（２）に係るマスクを示した図であり、（ａ）は着用者側から見た平面図、（ｂ）は、（ａ）におけるｂ−ｂ線端面図である。図６は、実施の形態（２）に係るマスクの着用状態を示した側面図である。なお、図１に示した実施の形態（１）に係るマスク１と同一機能を示す部分には同一符号を付して、その説明を省略する。
【００３８】
実施の形態（２）に係るマスク１Ｂが、実施の形態（１）に係るマスク１と相違する点は、顎当て部の構成にある。すなわち、実施の形態（１）に係るマスク１では、顎当て部２０が、マスク本体１０の下顎対面部分に平面視縦長の凸形状に複数成形されていたが、実施の形態（２）に係るマスク１Ｂでは、顎当て部２０Ｂが、マスク本体１０Ｂの下顎対面部分に細柱状に複数成形されている点が相違している。
【００３９】
顎当て部２０Ｂは、着用者の下顎正面に当接させる部分であり、マスク本体１０の下顎対面部分に所定間隔（１ｃｍ〜３ｃｍ程度）を設けて細柱状に成形されている複数の凸部２２ａ、２２ｂ、２２ｃ、２２ｄで構成されている。
【００４０】
顎当て部２０Ｂを構成する上側の凸部２２ａ、２２ｂは、着用者の下顎正面（口の下の部分）に当接させる部分であり、１辺３ｍｍ〜１５ｍｍ程度の略四角柱形状に成形されている。凸部２２ａ、２２ｂの高さは１ｃｍ〜３ｃｍ程度に設定されている。口元の十分な空間確保と良好な装着感が得られるという観点から１．５ｃｍ〜２．５ｃｍ程度に設定することがより好ましい。凸部２２ａ、２２ｂの間隔は、１ｃｍ〜４ｃｍ程度に設定することができ、下顎へのフィット感及び装着安定感の向上という観点から１．５ｃｍ〜３ｃｍ程度に設定することが好ましい。
【００４１】
顎当て部２０Ｂを構成する下側の凸部２２ｃ、２２ｄは、着用者の下顎先端部に当接させる部分であり、１辺３ｍｍ〜１５ｍｍ程度の略四角柱形状に成形されている。図５（ｂ）に示すように、凸部２２ｃ、２２ｄの高さは凸部２２ａ、２２ｂの高さよりも低く、２ｍｍ〜１ｃｍ程度に設定可能である。凸部２２ｃ、２２ｄの間隔は、１ｃｍ〜３ｃｍ程度に設定することができ、下顎下縁へのフィット感及び装着安定感の向上という観点から１．５ｃｍ〜２．５ｃｍ程度に設定することが好ましい。
【００４２】
なお、凸部２２ａ、２２ｂ、２２ｃ、２２ｄは、略四角柱形状に成形されているが、細柱形状であれば、その形状は特に限定されず、例えば、円柱形状、円盤形状などに成形されていてもよい。また、顎当て部２０Ｂを構成する凸部の成形個数は、４箇所に限定されるものではなく、例えば、１箇所のみ、横又は縦に２箇所、三角形状又は逆三角形状の頂点部分となる３箇所に成形された形態が採用され得る。
【００４３】
実施の形態（２）に係るマスク１Ｂの装着方法は、まず、顎当て部２０Ｂを構成する凸部２２ａ、２２ｂを口下の下顎正面に当接させ、凸部２２ｃ、２２ｄを下顎先端部付近に当接させる。その状態で、マスク本体１０Ｂの両側部分を頬に向けて湾曲させながら、マスク本体１０Ｂ両側の紐部材取付孔３１に取り付けられたゴム紐４０（図６参照）を耳に掛ける。
【００４４】
上記実施の形態（２）に係るマスク１Ｂによれば、顎当て部２０Ｂが、マスク本体１０Ｂの下顎対面部分に細角柱形状の凸部２２ａ、２２ｂ、２２ｃ、２２ｄで構成されているので、凸部２２ａ、２２ｂ、２２ｃ、２２ｄを着用時に下顎の前面部分（口の下の部分）に当接させることで、口元に一定の空間を確保することができるとともに、着用時の安定感を高めることができ、また、細柱形状なので着用者の息が下方にも抜けやすく、マスク本体１０Ｂの曇りを防止する効果を高めることができる。
【００４５】
また、複数の凸部２２ａ、２２ｂ、２２ｃ、２２ｄが所定間隔を設けて成形されているので、着用時において横方向の位置ずれを防止する効果を高めることができ、安定感や装着感を一層良好なものとすることができる。また、凸部２２ａ、２２ｂ、２２ｃ、２２ｄを小さく成形することが可能であり、着用時に外観上目立つことがなく、外観の優れたものとすることができる。
【００４６】
なお、上記実施の形態（２）に係るマスク１Ｂでは、マスク本体１０Ｂは、湾曲可能な薄い平板状であったが、別の実施の形態では、マスク本体１０Ｂを口の前面を覆う湾曲状（略Ｕ字状等）に予め立体成形されたものとすることができる。また、マスク本体１０Ｂを湾曲状に立体成形する形態の他、略Ｕ字形状をした細枠部材の内面に、マスク本体１０Ｂの外面を湾曲させた状態で貼り付け等により固着（着脱可能としてもよい）して、湾曲状に立体成形する形態も採用できる。
【００４７】
また、上記実施の形態（２）に係るマスク１Ｂでは、マスク本体１０Ｂ全体が平らな薄板であったが、図７に示す別の実施の形態に係るマスク１Ｃでは、マスク本体１０Ｃの中央下部１０ｅの顎当て部２０Ｃの形成面を、側面視円弧状（すなわち、下顎に沿うような凹部形状）に湾曲成形されたものとすることができる。
【００４８】
かかる形態によれば、マスク本体１０Ｃの下顎対面部分１０ｅが下方に向けて湾曲に成形されているので、顎当て部２０Ｃを構成する凸部２２ａ、２２ｂ、２２ｃ、２２ｄの下顎への装着感（フィット感）をさらに高めることができる。
【００４９】
図８は、実施の形態（３）に係るマスクを示した図であり、（ａ）は着用者側から見た平面図、（ｂ）は、（ａ）におけるｂ−ｂ線断面図である。図９は、実施の形態（３）に係るマスクの着用状態を示した側面図である。なお、図１に示した実施の形態（１）に係るマスク１と同一機能を示す部分には同一符号を付して、その説明を省略する。
【００５０】
実施の形態（３）に係るマスク１Ｄが、実施の形態（１）、（２）に係るマスクと相違する点は、顎当て部の構成にある。すなわち、実施の形態（１）、（２）に係るマスクでは、顎当て部２０、２０Ｂが、圧空成形又は真空成形によりマスク本体に一体成形されていたが、実施の形態（３）に係るマスク１Ｄでは、顎当て部が、マスク本体１０Ｄの下顎対面部分に着脱可能な顎当て部品２３で構成されている点が相違している。
【００５１】
マスク本体１０Ｄの下顎対面部分には、顎当て部品２３を嵌着するための取付孔１０ｆが横長の略矩形形状に形成されている。顎当て部を構成する顎当て部品２３は、着用者の下顎の前面部分に当接させる顎前面当接部２３ａと、顎前面当接部２３ａの下顎当接面とは反対側に形成され、取付孔１０ｆに嵌め込み可能な嵌着部２３ｂと、嵌着部２３ｂと顎前面当接部２３ａとの間から下方に湾曲させて延設された顎受け部２３ｃとを含んで構成され、軽量のプラスチック等の材料により一体成形されている。顎受け部２３ｃは、着用者の下顎先端部分にあてがう顎受け部分である。
【００５２】
顎前面当接部２３ａは、着用者の下顎正面（口の下の部分）に当接させる部分であり、下顎当接面が開口された横長の角筒形状に成形されている。顎前面当接部２３ａの高さ（マスク本体１０Ｄからの高さ）は１ｃｍ〜３ｃｍ程度に設定されている。口元の十分な空間確保と良好な装着感が得られるという観点から１．５ｃｍ〜２．５ｃｍ程度に設定することがより好ましい。なお、下顎当接面が開口されていない形態であってもよい。
【００５３】
顎受け部２３ｃは、着用者の下顎先端部にあてがう部分であり、平面視ロの字形状（中央くり抜き形状）かつ側面視円弧形状（又は側面視略くの字形状）に成形されており、着用者の下顎先端部分にフィットする形状となっている。なお、顎受け部２３ｃは、平面視ロの字形状の他、平板状（くり抜きがない形状）や、細パイプ状部材で平面視略ロの字形状に形成された構造などが採用できる。
【００５４】
実施の形態（３）に係るマスク１Ｄの装着方法は、まず、顎当て部品２３の顎前面当接部２３ａを口下の下顎正面に当接させ、顎受け部２３ｃを下顎先端部にあてがう。その状態で、マスク本体１０Ｄの両側部分を頬に向けて湾曲させながら、マスク本体１０Ｄ両側の紐部材取付孔３１に取り付けられたゴム紐４０（図９参照）を耳に掛ける。
【００５５】
上記実施の形態（３）に係るマスク１Ｄによれば、マスク本体１０Ｄに顎当て部品２３を着脱できるように構成されているので、マスク交換時は、マスク本体１０Ｄを交換するだけで良く、顎当て部品２３を繰り返し使用することができ、安価なマスクとして提供することができる。
【００５６】
また、顎当て部品２３の嵌着部２３ｂをマスク本体１０Ｄの取付孔１０ｆに嵌め込むだけで簡単に装着することができる。また、顎前面当接部２３ａにより、着用時にマスク本体１０Ｄに口や鼻が当らないように空間を確保することができるとともに、下顎前面部分に当接させて、マスク本体１０Ｄを支持することができる。また、顎受け部２３ｃを着用者の下顎先端部に当てることで、マスク本体１０Ｄの着用時の安定性を高めることができる。
【００５７】
なお、上記実施の形態（３）に係るマスク１Ｄでは、マスク本体１０Ｄは、湾曲可能な薄い平板状であったが、別の実施の形態では、マスク本体１０Ｄを口の前面を覆う湾曲状（略Ｕ字状等）に予め立体成形されたものとすることができる。また、マスク本体１０Ｄを湾曲状に立体成形する形態の他、略Ｕ字形状をした細枠部材の内面に、マスク本体１０Ｄの外面を湾曲させた状態で貼り付け等により固着（着脱可能としてもよい）して、湾曲状に立体成形する形態も採用できる。
【００５８】
図１０は、実施の形態（４）に係るマスクを示した図であり、（ａ）は着用者側から見た平面図、（ｂ）は、（ａ）におけるｂ−ｂ線断面図である。図１１は、実施の形態（４）に係るマスクの着用状態を示した側面図である。なお、図８に示した実施の形態（３）に係るマスク１Ｄと同一機能を示す部分には同一符号を付して、その説明を省略する。
【００５９】
実施の形態（４）に係るマスク１Ｅが、実施の形態（３）に係るマスク１Ｄと相違する点は、顎当て部品２４の構成にある。すなわち、実施の形態（３）に係るマスク１Ｄでは、顎当て部品２３をマスク本体１０Ｄの取付孔１０ｆに嵌着するように構成されていたが、実施の形態（４）に係るマスク１Ｅでは、顎当て部品２４をマスク本体１０Ｄの下顎対面部分に形成された嵌着用凸部１０ｇに嵌着するように構成されている点が相違している。
【００６０】
マスク本体１０Ｅの下顎対面部分には、顎当て部品２４を嵌め込む嵌着用凸部１０ｇが横長の略矩形形状に圧空成形等により成形されている。顎当て部を構成する顎当て部品２４は、一端側に嵌着用凸部１０ｇに嵌め込み可能な横長の略矩形形状をした開口部を有し、他端側に着用者の下顎の前面部分に当接させる面を有する顎前面当接部２４ａと、顎前面当接部２４ａの下面から下方に湾曲させて延設された顎受け部２４ｂとを含んで構成され、軽量のプラスチック等の材料により一体成形されている。顎受け部２４ｂは、着用者の下顎先端部分にあてがう顎受け部分である。
【００６１】
顎前面当接部２４ａは、着用者の下顎正面（口の下の部分）に当接させる部分であり、顎前面当接部２４ａの高さ（マスク本体１０Ｄからの高さ）は１ｃｍ〜３ｃｍ程度に設定されている。口元の十分な空間確保と良好な装着感が得られるという観点から１．５ｃｍ〜２．５ｃｍ程度に設定することがより好ましい。
【００６２】
顎受け部２４ｂは、着用者の下顎先端部にあてがう部分であり、平面視ロの字形状（中央くり抜き形状）かつ側面視円弧形状（又は側面視略くの字形状）に成形されており、着用者の下顎先端部にフィットする形状となっている。なお、顎受け部２４ｂは、平面視ロの字形状の他、平板状（くり抜きがない形状）や、細パイプ状部材で平面視略ロの字形状に形成された構造などを採用することができる。
【００６３】
実施の形態（４）に係るマスク１Ｅの装着方法は、まず、顎当て部品２４の顎前面当接部２４ａを口下の下顎正面に当接させ、顎受け部２４ｂを下顎先端部にあてがう。その状態で、マスク本体１０Ｅの両側部分を頬に向けて湾曲させながら、マスク本体１０Ｅ両側の紐部材取付孔３１に取り付けられたゴム紐４０（図１１参照）を耳に掛ける。
【００６４】
上記実施の形態（４）に係るマスク１Ｅによれば、マスク本体１０Ｅに顎当て部品２４を着脱できるように構成されているので、交換時は、マスク本体１０Ｅを交換するだけで良く、顎当て部品２４を繰り返し使用することができ、安価なマスクとして提供することができる。
【００６５】
また、顎当て部品２４をマスク本体１０Ｅの嵌着用凸部１０ｇに嵌め込むだけで簡単に装着することができる。また、顎前面当接部２４ａにより、着用時にマスク本体１０Ｅに口や鼻が当らないように空間を確保することができるとともに、下顎前面部分に当接させて、マスク本体１０Ｅを支持することができる。また、顎受け部２４ｂを着用者の下顎先端部に当てることで、マスク本体１０Ｅの着用時の安定性を高めることができる。
【００６６】
なお、上記実施の形態（４）に係るマスク１Ｅでは、マスク本体１０Ｅは、湾曲可能な薄い平板状であったが、別の実施の形態では、マスク本体１０Ｅを口の前面を覆う湾曲状（略Ｕ字状等）に予め立体成形されたものとすることができる。また、マスク本体１０Ｅを湾曲状に立体成形する形態の他、略Ｕ字形状をした細枠部材の内面に、マスク本体１０Ｅの外面を湾曲させた状態で貼り付け等により固着（着脱可能としてもよい）して、湾曲状に立体成形する形態も採用できる。
【００６７】
図１２は、実施の形態（５）に係るマスクを示した図であり、（ａ）は着用者側から見た平面図、（ｂ）は、（ａ）におけるｂ−ｂ線断面図である。図１３は、図１２におけるXIII−XIII線断面図である。図１４は、実施の形態（５）に係るマスクの着用状態を示した側面図である。なお、図８に示した実施の形態（３）に係るマスク１Ｄと同一機能を示す部分には同一符号を付して、その説明を省略する。
【００６８】
実施の形態（５）に係るマスク１Ｅが、実施の形態（３）に係るマスク１Ｄと相違する点は、顎当て部を構成する顎当て部品２５の構成にある。すなわち、実施の形態（３）に係るマスク１Ｄでは、顎当て部品２３をマスク本体１０Ｄの取付孔１０ｆに嵌め込むように構成されていたが、実施の形態（５）に係るマスク１Ｆでは、顎当て部品２５をマスク本体１０Ｆの下辺中央部分に差し込んでマスク本体１０Ｆに取り付けるように構成されている点が相違している。
【００６９】
マスク本体１０Ｆは、下辺が略直線状に成形されている。顎当て部を構成する顎当て部品２５は、着用者の下顎の前面部分に当接させる顎前面当接部２５ａと、顎前面当接部２５ａの下顎当接面とは反対側に形成され、マスク本体１０Ｆの下辺部を挟んだ状態で支持する挟持部２５ｂと、顎前面当接部２５ａ又は挟持部２５ｂから下方に湾曲した形状で延設された顎受け部２５ｃとを含んで構成され、プラスチック材料等により一体成形されている。顎前面当接部２５ａは、下顎の前面部分に当接させる部位であり、顎受け部２５ｃは、下顎の下縁部分にあてがう顎受け部分である。
【００７０】
挟持部２５ｂには、マスク本体１０Ｆを差し込むための切り込み部２５ｄが形成され、切り込み部２５ｄの内側対面２箇所に、凹凸部２５ｅが嵌合する態様で成形されている。凹凸部２５ｅの個数は特に限定されないが、マスク本体１０Ｆを安定して挟持するという観点から２箇所以上に形成することが好ましい。この凹凸部２５ｅにより、マスク本体１０Ｆが容易に外れない程度に挟持されるようになっている。
【００７１】
顎前面当接部２５ａは、着用者の下顎正面（口の下の部分）に当接させる部分であり、横長の略四角柱形状に成形されている。顎前面当接部２５ａの高さは１ｃｍ〜３ｃｍ程度に設定されている。口元の十分な空間確保と良好な装着感が得られるという観点から１．５ｃｍ〜２．５ｃｍ程度に設定することがより好ましい。なお、下顎当接面が開口されていない形態を採用することもできる。
【００７２】
顎受け部２５ｃは、着用者の下顎先端部にあてがう部分であり、平面視ロの字形状（中央くり抜き形状）かつ側面視円弧形状（又は側面視略くの字形状等）に成形されており、着用者の下顎の先端部の曲面にフィットする形状となっている。なお、顎受け部２５ｃは、平面視ロの字形状の他、平板状（くり抜きがない薄板形状）や、パイプ状部材で平面視略ロの字形状に形成された構造などが採用できる。
【００７３】
実施の形態（５）に係るマスク１Ｆの装着方法は、まず、顎当て部品２５を構成する顎前面当接部２５ａを口下の下顎正面に当接させ、顎受け部２５ｃを下顎先端部分にあてがう。その状態で、マスク本体１０Ｆの両側部分を頬に向けて湾曲させながら、マスク本体１０Ｆ両側の紐部材取付孔３１に取り付けられたゴム紐４０を耳に掛ける。
【００７４】
上記実施の形態（５）に係るマスク１Ｆによれば、顎当て部品２５の挟持部２５ｂにマスク本体１０Ｆの下辺部分を差し込むだけで簡単に顎当て部品２５をマスク本体１０Ｆに装着することができる。交換時は、マスク本体１０Ｆを交換するだけで良く、顎当て部品２５を繰り返し使用することができ、安価なマスクとして提供することができる。
【００７５】
また、顎前面当接部２５ａにより、着用時にマスク本体１０Ｆに口や鼻が当らないように空間を確保することができるとともに、下顎前面部分に当接させて、マスク本体１０Ｆを安定して支持することができる。また、顎受け部２５ｃを着用者の下顎先端部にあてがうことで、マスク本体１０Ｆの着用時の安定性が良いものとすることができる。
【００７６】
なお、上記実施の形態（５）に係るマスク１Ｆでは、マスク本体１０Ｆは、湾曲可能な薄い平板状であったが、別の実施の形態では、マスク本体１０Ｆを口の前面を覆う湾曲状（略Ｕ字状等）に予め立体成形されたものとすることができる。また、マスク本体１０Ｆを湾曲状に立体成形する形態の他、略Ｕ字形状をした細枠部材の内面に、マスク本体１０Ｆの外面を湾曲させた状態で貼り付け等により固着（着脱可能としてもよい）して、湾曲状に立体成形する形態も採用できる。
【００７７】
図１５は、実施の形態（６）に係るマスクを示した図であり、（ａ）は着用者側から見た平面図、（ｂ）は、（ａ）におけるｂ−ｂ線断面図である。図１６は、実施の形態（６）に係るマスクの着用状態を示した側面図である。なお、図１２に示した実施の形態（５）に係るマスク１Ｆと同一機能を示す部分には同一符号を付して、その説明を省略する。
【００７８】
実施の形態（６）に係るマスク１Ｇが、実施の形態（５）に係るマスク１Ｆと相違する点は、顎当て部を構成する顎当て部品２６の構成にある。
顎当て部品２６は、平面視ロの字形状（中央くり抜き形状）かつ側面視円弧形状（又は側面視略くの字形状等）に成形された細パイプ状の顎受け部２６ａと、顎受け部２６ａの中間屈曲部付近から延設された細パイプ状のスペーサ部２６ｂと、スペーサ部２６ｂの一端が連結された挟持部２６ｃとを含んで構成され、軽量のプラスチック等の材料により一体的に成形されている。顎受け部２６ａは、着用者の下顎の前面部分から先端部分にあてがう部位であり、挟持部２６ｃは、マスク本体１０Ｇの下辺部中央を挟んだ状態で支持するための部位である。なお、顎受け部２６ａは、平面視ロの字形状の他、平板状（くり抜きがない薄板形状）に成形された構造など、着用者の下顎の先端部の曲面にフィットする形状を採用することができる。
【００７９】
挟持部２６ｃは、マスク本体１０Ｇを差し込むための切り込み部２６ｄが形成され、切り込み部２６ｄの内側対面２箇所に、凹凸部２６ｅが嵌合する態様で成形されている。凹凸部２６ｅの個数は特に限定されないが、マスク本体１０Ｇを安定して挟持するという観点から２箇所以上に形成することが好ましい。この凹凸部２６ｅにより、マスク本体１０Ｇが容易に外れない程度に挟持されるようになっている。
【００８０】
実施の形態（６）に係るマスク１Ｇの装着方法は、まず、顎当て部品２６を構成する顎受け部２６ａを下顎先端部付近にあてがう。その状態で、マスク本体１０Ｇの両側部分を頬に向けて湾曲させながら、マスク本体１０Ｇ両側の紐部材取付孔３１に取り付けられたゴム紐４０を耳に掛ける。
【００８１】
上記実施の形態（６）に係るマスク１Ｇによれば、顎当て部品２６の挟持部２６ｃにマスク本体１０Ｇの下辺部を差し込むだけで簡単に顎当て部品２６をマスク本体１０Ｇに装着することができる。交換時は、マスク本体１０Ｇを交換するだけで良く、顎当て部品２６を繰り返し使用することができ、安価なマスクとして提供することができる。
【００８２】
また、顎当て部品２６により、着用時にマスク本体１０Ｇに口や鼻が当らないように空間を確保することができるとともに、下顎前面部分に当接させて、マスク本体１０Ｇを安定して支持することができる。また、顎受け部２６ａが下顎先端部分にフィットしやすく、着用者の下顎先端部にあてがうことで、マスク本体１０Ｇの着用時の安定性が良いものとすることができる。
【００８３】
なお、上記実施の形態（６）に係るマスク１Ｇでは、マスク本体１０Ｇは、湾曲可能な薄い平板状であったが、別の実施の形態では、マスク本体１０Ｇを口の前面を覆う湾曲状（略Ｕ字状等）に予め立体成形されたものとすることができる。また、マスク本体１０Ｇを湾曲状に立体成形する形態の他、略Ｕ字形状をした細枠部材の内面に、マスク本体１０Ｇの外面を湾曲させた状態で貼り付け等により固着（着脱可能としてもよい）して、湾曲状に立体成形する形態も採用できる。
【符号の説明】
【００８４】
１、１Ａ、１Ｂ、１Ｃ、１Ｄ、１Ｅ、１Ｆ、１Ｇ  マスク
１０、１０Ａ、１０Ｂ、１０Ｃ、１０Ｄ、１０Ｅ、１０Ｆ、１０Ｇ  マスク本体
２０、２０Ａ、２０Ｂ、２０Ｃ  顎当て部
２１ａ、２１ｂ  凸部
２２ａ、２２ｂ、２２ｃ、２２ｄ  凸部
２３、２４、２５、２６  顎当て部品
３０  耳掛け部材取付け部
３１  紐部材取付孔
３２  切れ込み
４０  紐部材
【図１】
0003189347.tif 000003
【図２】
0003189347.tif 000004
【図３】
0003189347.tif 000005
【図４】
0003189347.tif 000006
【図５】
0003189347.tif 000007
【図６】
0003189347.tif 000008
【図７】
0003189347.tif 000009
【図８】
0003189347.tif 000010
【図９】
0003189347.tif 000011
【図１０】
0003189347.tif 000012
【図１１】
0003189347.tif 000013
【図１２】
0003189347.tif 000014
【図１３】
0003189347.tif 000015
【図１４】
0003189347.tif 000016
【図１５】
0003189347.tif 000017
【図１６】
0003189347.tif 000018
【図１７】
0003189347.tif 000019
【図１８】
0003189347.tif 000020